(57)【要約】【課題】耐アルカリ水性に優れると共に、長期信頼性と光取り出し効率のよい積層基板、その製造方法およびエレクトロルミネッセンス素子を提供する。【解決手段】屈折率が１．１０〜１．３５であり、表面から深さ１００ｎｍ以内の表層領域に０〜１０ｎｍ径の空孔を有する緻密層が５〜１００ｎｍの厚さで存在する多孔性シリカ膜により、上記課題を解決した。また積層基板は、基板上に上記多孔性シリカ膜を形成して得ることができ、エレクトロルミネッセンス素子は、上記積層基板を有し、その積層基板上に透明電極、エレクトロルミネッセンス層および陰極をこの順で積層して得ることができる。【選択図】    なし【特許請求の範囲】
【請求項１】
屈折率が１．１０〜１．３５であり、表面から深さ１００ｎｍ以内の表層領域に０〜１０ｎｍ径の空孔を有する緻密層が５〜１００ｎｍの厚さで存在することを特徴とする多孔性シリカ膜。
【請求項２】
前記多孔性シリカ膜は、熱重量測定−質量スペクトル分析において、炭素数１〜４のアルコール類のうち少なくとも一種の物質のピークを、その物質の７６０ｍｍＨｇにおける沸点よりも高温域で与えることを特徴とする請求項１に記載の多孔性シリカ膜。
【請求項３】
前記多孔性シリカ膜は、全炭素濃度が０．１〜１０重量％であることを特徴とする請求項１または請求項２に記載の多孔性シリカ膜。
【請求項４】
基板上に、請求項１〜３のいずれか１項に記載の多孔性シリカ膜を有することを特徴とする積層基板。
【請求項５】
前記基板が透明であることを特徴とする請求項４に記載の積層基板。
【請求項６】
前記多孔性シリカ膜の表面に透明電極を有することを特徴とする請求項４または請求項５に記載の積層基板。
【請求項７】
加水分解反応および脱水縮合反応を起こすアルコキシシラン類を主体とした原料化合物と沸点８０℃以上の親水性有機化合物とを含む含水有機溶液から一次膜を形成する工程、
前記一次膜を形成する含水有機溶液が加水分解反応および脱水縮合反応を起こして中間体膜が形成される工程、
前記中間体膜に水溶性有機溶媒を接触させて多孔性シリカ膜を形成する工程、および、
前記多孔性シリカ膜に加水分解反応および脱水縮合反応を促進させる触媒物質を接触させて当該多孔性シリカ膜の表層領域に緻密層を形成する工程、を含むことを特徴とする多孔性シリカ膜の製造方法。
【請求項８】
加水分解反応および脱水縮合反応を起こすアルコキシシラン類を主体とした原料化合物と沸点８０℃以上の親水性有機化合物とを含む含水有機溶液から一次膜を形成する工程、
前記一次膜中の含水有機溶液が加水分解反応および脱水縮合反応を起こして中間体膜が形成される工程、
前記中間体膜に加水分解反応および脱水縮合反応を促進させる触媒物質を接触させて当該中間体膜の表層領域に緻密層を形成する工程、および、
前記中間体膜を乾燥させて前記の沸点８０℃以上の親水性有機化合物を除去して多孔性シリカ膜を形成する工程、を含むことを特徴とする多孔性シリカ膜の製造方法。
【請求項９】
前記触媒物質が、酸類または塩基類であることを特徴とする請求項７または請求項８に記載の多孔性シリカ膜の製造方法。
【請求項１０】
前記緻密層が、０〜１０ｎｍ径の空孔を有し、前記多孔性シリカ膜の表面から深さ１００ｎｍ以内の表層領域に５〜１００ｎｍの厚さで存在することを特徴とする請求項７〜９のいずれか１項に記載の多孔性シリカ膜の製造方法。
【請求項１１】
請求項７〜１０のいずれか１項に記載の多孔性シリカ膜の製造方法において、前記含水有機溶液を基板上に塗布して一次膜を形成したことを特徴とする積層基板の製造方法。
【請求項１２】
前記基板が透明であることを特徴とする請求項１１に記載の積層基板の製造方法。
【請求項１３】
請求項４〜６のいずれか１項に記載の積層基板を有し、当該積層基板上に、透明電極、エレクトロルミネッセンス層および陰極がこの順で積層されていることを特徴とするエレクトロルミネッセンス素子。
【発明の詳細な説明】
【０００１】
【発明の属する技術分野】
本発明は、多孔性シリカ膜、それを有する積層基板、それらの製造方法およびエレクトロルミネッセンス素子に関し、更に詳しくは、耐アルカリ水性に優れると共に、信頼性と光取り出し効率のよい多孔性シリカ膜および積層基板、それらの製造方法およびエレクトロルミネッセンス素子に関するものである。
【０００２】
【従来の技術】
次世代の電子ディスプレイとして特に期待されているものの一つに、有機ＥＬディスプレイがある。この有機ＥＬディスプレイは、図１に示すように、少なくとも透明基板２、透明電極（陽極）３、エレクトロルミネッセンス層４および陰極５をこの順に積層したエレクトロルミネッセンス素子１を有する自発光型のディスプレイである。このエレクトロルミネッセンス素子は、陽極である透明電極３から注入された正孔と陰極５から注入された電子とがエレクトロルミネッセンス層４で再結合し、その再結合エネルギーによって発光中心が励起され、発光するという発光原理を有する。
【０００３】
こうした有機ＥＬディスプレイにおいては、エレクトロルミネッセンス層４で発光した光が透明基板２側に効率的に取り出されることが好ましいが、図２に示すように、出射角の大きい光１１は、透明基板２と空気７との界面で全反射し、透明基板２の内部を面方向に全反射しながら進む導波光１２となる。こうした導波光１２により、透明基板２から取り出される光取り出し効率（エレクトロルミネッセンス層４で発生した光がエレクトロルミネッセンス素子１の外部取り出される割合のこと。）は２０％程度と低く、従来よりその改善が要請されている。
【０００４】
こうした問題に対し、図３に示すように、透明基板２のエレクトロルミネッセンス層４側に低屈折率層６を設けることにより、その低屈折率層６で出射角の大きい光１１を屈折させて導波光の発生を低減し、光取り出し効率を向上させることが検討されている。例えば、下記特許文献１には、シリカエアロゲル膜技術により形成された屈折率１．０１〜１．３の低屈折率層を有するエレクトロルミネッセンス素子が記載されている。
【０００５】
しかしながら、この特許文献１に記載の低屈折率層は、二酸化炭素等の揮発性超臨界液体をシリカと相分離させ、次いで蒸発させる方法により製造されるため、その低屈折率層内に粗大な孔が多数存在し、その低屈折率層の膜表面においても表面凹凸の最大値がおよそ４００ｎｍを超える形態となっている。このような形態からなる低屈折率層においては、その表面から水や有機物などの不純物が侵入し易く、その結果、低屈折率層の屈折率が大きくなり、導波光の発生が起こり易くなる等の問題が生じていた。特に、その低屈折率層上に透明電極をパターンニングにより形成する場合には、エッチング用のアルカリ水溶液が用いられるので、そのアルカリ水溶液は、低屈折率層内に侵入して膜質を劣化させたり、残留して屈折率を大きくしたり、徐々に放出されてエレクトロルミネッセンス素子の経時変化を引き起こしたりするという問題が生じるおそれがある。
【０００６】
このような問題に関連するものとして、下記特許文献２には、シリカエアロゲルの表面をヘキサメチルジシラザンなどで疎水化処理し、密度傾斜性のエアロゲルとして多孔質膜の耐湿性を向上させる方法が記載されている。
【０００７】
【特許文献１】
特開２００２−２７８４７７号公報（段落番号００１０〜００１２）
【特許文献２】
特開平９−１６９５１５号公報（段落番号０００６、００３０）
【０００８】
【発明が解決しようとする課題】
上記特許文献２に記載のシリカエアロゲルは、シリカエアロゲル膜の中間体であるゲル状化合物を、アルコキシシランまたは触媒の溶液を含浸するフィルタに当接させることにより製造され、そのフィルタとの当接面に緻密層が形成されるというものである。
【０００９】
しかしながら、そうして製造された密度傾斜性のシリカエアロゲルは、緻密層を表面に有するものの、その製法上、膜表面の凹凸が大きく、そもそも透明基板に密着性よく積層させること自体に問題がある。したがって、そのシリカエアロゲル膜上に透明電極をパターンニングにより形成する場合、透明基板とシリカエアロゲル膜との間の不十分な密着性に起因する剥離等の問題や、大きな表面凹凸に起因する透明電極のパターニング不良や短絡の発生等の問題が生じるおそれがある。
【００１０】
本発明は、上記問題を解決するためになされたものであって、第１の目的は、耐アルカリ水性に優れると共に、長期信頼性と光取り出し効率のよい多孔性シリカ膜および積層基板を提供することにある。また、本発明の第２の目的は、耐アルカリ水性に優れ、長期信頼性と光取り出し効率のよい多孔性シリカ膜および積層基板の製造方法を提供することにある。また、本発明の第３の目的は、信頼性に優れたエレクトロルミネッセンス素子を提供することにある。
【００１１】
【課題を解決するための手段】
本発明者らは、上記課題を解決するために鋭意研究を行っている過程で、ガラス基板等の基板上にアルコキシシラン類の加水分解反応および脱水縮合反応（以下、加水分解縮合反応またはゾル−ゲル法と略すことがある。）を利用して低屈折率の多孔性シリカ膜を形成する際に、ｎ−ブタノール等の比較的低い親水性を有する有機化合物（この有機化合物を、親水性有機化合物という。）を含有させた含水有機溶液を用いて膜を形成した後、低級アルコール等の水溶性有機溶媒でその膜を洗浄したところ、膜中の親水性有機化合物が抽出されることにより、膜中に所望の空孔構造が形成された低屈折率の多孔性シリカ膜を形成できることを見出すと共にその表面が極めて平滑であることを見出した。さらに、本発明者らは、その多孔性シリカ膜の表面に例えばアンモニア蒸気を接触させることにより、表面層の加水分解縮合反応が促進され、表面凹凸の小さい緻密層が形成されることを見出し、本発明に到達した。
【００１２】
上記第１の目的を達成するための本発明の多孔性シリカ膜は、屈折率が１．１０〜１．３５であり、表面から深さ１００ｎｍ以内の表層領域に０〜１０ｎｍ径の空孔を有する緻密層が５〜１００ｎｍの厚さで存在することを特徴とする。
【００１３】
この発明によれば、０〜１０ｎｍ径の空孔を有する緻密層が多孔性シリカ膜の表層領域に５〜１００ｎｍの厚さで存在するので、その緻密層が例えばアルカリ水等の浸透を抑制するように作用する。その結果、例えばこの多孔性シリカ膜を基板上に積層する工程中にアルカリ水等が使用される場合においても、長期信頼性に影響するおそれのあるアルカリ水等の不純物の含有を効果的に制限することができる。また、その緻密層は、表面から深さ１００ｎｍ以内の表層領域に５〜１００ｎｍの厚さで存在するので、多孔性シリカ膜の屈折率を大きくすることがなく、低屈折率層としての機能を維持することができる。こうした本発明の多孔性シリカ膜は、特に、多孔性シリカ膜上にＩＴＯ等の透明電極をパターニングするエレクトロルミネッセンス素子等の場合に好ましく用いられ、エレクトロルミネッセンス素子の長期信頼性を維持する上で極めて有効である。
【００１４】
本発明の多孔性シリカ膜において、前記多孔性シリカ膜は、熱重量測定−質量スペクトル分析において、炭素数１〜４のアルコール類のうち少なくとも一種の物質のピークを、その物質の７６０ｍｍＨｇにおける沸点よりも高温域で与えることが好ましく、また、前記多孔性シリカ膜は、全炭素濃度が０．１〜１０重量％であることが好ましい。
【００１５】
さらに、上記目的を達成するための本発明の積層基板は、基板上に上述した本発明の多孔性シリカ膜を有することを特徴とする。このとき、前記基板を透明にしたり、多孔性シリカ膜の表面に透明電極を形成した態様とすることができる。
【００１６】
上記第２の目的を達成するための第１態様に係る本発明の多孔性シリカ膜の製造方法は、加水分解反応および脱水縮合反応を起こすアルコキシシラン類を主体とした原料化合物と沸点８０℃以上の親水性有機化合物とを含む含水有機溶液から一次膜を形成する工程、前記一次膜を形成する含水有機溶液が加水分解反応および脱水縮合反応を起こして中間体膜が形成される工程、前記中間体膜に水溶性有機溶媒を接触させて多孔性シリカ膜を形成する工程、および、前記多孔性シリカ膜に加水分解反応および脱水縮合反応を促進させる触媒物質を接触させて当該多孔性シリカ膜の表層領域に緻密層を形成する工程、を含むことを特徴とする。
【００１７】
この発明によれば、アルコキシシラン類と沸点８０℃以上の親水性有機化合物を含む含水有機溶液を用いてゾル−ゲル法で中間体膜が形成され、その中間体膜中の親水性有機化合物が水溶性有機溶媒で抽出されることにより、所望の低屈折率を実現する空孔構造を持つ多孔性シリカ膜を形成でき、さらに、その多孔性シリカ膜の表面に加水分解縮合反応を促進する触媒物質を接触させることにより、表面凹凸の小さい緻密層の形成を実現している。本発明の積層基板の製造方法は、表層領域に緻密層を有する低屈折率層を、原料液である含水有機溶液に親水性有機化合物を含有させ、その親水性有機化合物を水溶性有機溶媒で抽出し、触媒物質を接触させるという、極めて簡便な手段および手順により形成することができる。
【００１８】
また、第２態様に係る本発明の多孔性シリカ膜の製造方法は、加水分解反応および脱水縮合反応を起こすアルコキシシラン類を主体とした原料化合物と沸点８０℃以上の親水性有機化合物とを含む含水有機溶液から一次膜を形成する工程、前記一次膜中の含水有機溶液が加水分解反応および脱水縮合反応を起こして中間体膜が形成される工程、前記中間体膜に加水分解反応および脱水縮合反応を促進させる触媒物質を接触させて当該中間体膜の表層領域に緻密層を形成する工程、および、前記中間体膜を乾燥させて前記の沸点８０℃以上の親水性有機化合物を除去して多孔性シリカ膜を形成する工程、を含むことを特徴とする。
【００１９】
この発明によれば、アルコキシシラン類と沸点８０℃以上の親水性有機化合物を含む含水有機溶液を用いてゾル−ゲル法で中間体膜が形成され、その中間体膜の表面に加水分解縮合反応を促進する触媒物質を接触させることにより、表面凹凸の小さい緻密層の形成を実現している。なお、この発明は、上記第１態様に係る製造方法とは異なり、緻密層を形成した後の中間体膜を乾燥させることにより、その中間体膜内の親水性有機化合物を除去し、所望の低屈折率を実現する空孔構造を持つ多孔性シリカ膜を形成している点において特徴がある。
【００２０】
また、第１及び第２態様に係る本発明の多孔性シリカ膜の製造方法においては、前記触媒物質が、酸類または塩基類であること、または、前記緻密層が、０〜１０ｎｍ径の空孔を有し、前記多孔性シリカ膜の表面から深さ１００ｎｍ以内の表層領域に５〜１００ｎｍの厚さで存在すること、が好ましい。
【００２１】
上記目的を達成するための本発明の積層基板の製造方法は、上述した第１及び第２態様に係る本発明の多孔性シリカ膜の製造方法において、前記含水有機溶液を基板上に塗布して一次膜を形成したことを特徴とする。このとき、前記基板が透明であることが好ましい。
【００２２】
この発明によれば、上述した優れた特性を有する本発明の積層基板を製造することができ、この方法で製造された積層基板をエレクトロルミネッセンス素子用として好ましく適用できる。
【００２３】
上記第３の目的を達成するための本発明のエレクトロルミネッセンス素子は、上述した本発明の積層基板を有し、当該積層基板上に、透明電極、エレクトロルミネッセンス層および陰極がこの順で積層されていることを特徴とするものである。
【００２４】
この発明によれば、エレクトロルミネッセンス素子の製造工程中の不純物、特に透明電極のパターニングの際のアルカリ水等が素子内に残留するのを抑制できるので、そうした不純物に基づいた経時変化を抑制でき、長期信頼性に優れたエレクトロルミネッセンス素子を提供することができる。
【００２５】
【発明の実施の形態】
以下、本発明の実施の形態について説明する。
（１）多孔性シリカ膜およびそれを有する積層基板
本発明の多孔性シリカ膜は、屈折率が１．１０〜１．３５であり、表面から深さ１００ｎｍ以内の表層領域に０〜１０ｎｍ径の空孔を有する緻密層が５〜１００ｎｍの厚さで存在することに特徴があり、また、本発明の積層基板は、図３および図４に示すように、基板２上に本発明に係る多孔性シリカ膜６を有するものである。
【００２６】
（多孔性シリカ膜）
図４は、本発明の積層基板の一例を示す断面図である。本発明を構成する多孔性シリカ膜６には、０〜１０ｎｍ径の空孔を有する緻密層８が、表面から深さ１００ｎｍ以内の表層領域に５〜１００ｎｍの厚さで形成されている。ここで、表面とは、多孔性シリカ膜の形成の際に使用される基板側でない側の多孔性シリカ膜の表面のことである。したがって、この多孔性シリカ膜６は、表面に形成された緻密層８と、緻密層８の下に形成された多孔性の本体層９とからなる複合構造となっている。なお、本発明において、多孔性シリカ膜６というときは、緻密層８と本体層９とを含めた全体を対象としているが、屈折率と空孔径について言及する場合には、本体層９と緻密層８とを識別する。
【００２７】
本発明において、緻密層が多孔性シリカ膜の表面から深さ１００ｎｍ以内の表層領域に形成されているので、水や任意の溶質を含む水溶液などの液体が多孔性シリカ膜内部の本体層に侵入するのを防ぐことができる。緻密層が表面から深さ１００ｎｍを超える領域に形成されることがあると、その部分には上述した液体が侵入してしまい、経時変化等の問題が起こることがある。なお、緻密層は、表面から深さ８０ｎｍ以内の表層領域に形成されていることが好ましく、６０ｎｍ以内であることがより好ましい。
【００２８】
また、本発明において、緻密層が５〜１００ｎｍの厚さで形成されているので、上述した液体が多孔性シリカ膜内部の本体層に侵入するのを効果的に防ぐことができると共に、屈折率のやや大きな緻密層に基づいた導波光の発生が起こらない。緻密層の厚さが５ｎｍ未満では、上述した液体の侵入を効果的に抑制することができず、厚さが１００ｎｍを超えると、緻密層に基づいた導波光の発生が起こることがある。なお、緻密層の厚さは、好ましくは１０〜８０ｎｍ、更に好ましくは２０〜７０ｎｍである。
【００２９】
また、本発明において、緻密層内の空孔径は０〜１０ｎｍで形成されているので、上述した液体が多孔性シリカ膜内部の本体層に侵入するのを効果的に防ぐことができる。緻密層内の空孔径が１０ｎｍを超えると、上述した液体がその空孔内を徐々に通り、多孔性シリカ膜の本体層に侵入してしまうことがある。
【００３０】
こうした特徴を有する緻密層の構造は、走査型電子顕微鏡（ＳＥＭ）による電子像解析により評価される。例えば、電子線の加速電圧５ｋＶ、観察倍率５００００倍〜１０００００倍で解析される。ＳＥＭ観察試料としては、積層基板の試料を液体窒素で冷却して脆化させた状態で機械的衝撃を加え、そのときの脆性破壊面を用いた。この脆性破壊面には、試料表面の導電性を向上させる目的で一般に行われている金属や炭素等の導電性物質の薄膜を蒸着等を施さない。
【００３１】
緻密層内の空孔は、空隙像の観察により判別することができ、具体的には、試料の観察断面をＳＥＭの電子線方向に対して垂直に保持した際に、周囲の明度の０〜５０％である暗く観察される領域であって、その観察断面を任意の方向に±５度以内で変化させてもその明度が実質的に変化しない領域として観察される。こうして空隙像として判別される空孔の形状には特に制限はなく、円形、楕円形、扇形、紡錘状、多角形、短冊状、ひも状、不定曲線で囲まれた形状、星形状などを例示できる。そして、上述した空孔径は、こうした空隙像の幅で定義される。なお、空隙像の幅とは、空隙像と判定された形状においてその外周線上の任意の２点を結ぶ直線であって、その直線が図形の外周線を横切らないもののうち最長のものの長さで定義される。そして、こうした緻密層の構造は、与えられた積層基板の任意の異なる５カ所を解析して特定される。前記空隙像の幅は、多孔性シリカ膜平面に水平な複数の面で切り（ミクロトームによる切削で行う）、それらの面のＳＥＭ観察を前記同様の空隙率の観察基準で行い、適宜平均をとることにより同様に測定される。
【００３２】
多孔性シリカ膜の屈折率は１．１０〜１．３５である。この屈折率は、ＡＳＴＭ  Ｄ−５４２に基づき、エリプソメーターによる測定で決定される屈折率であって、緻密層と本体層とを合わせた多孔性シリカ膜の全深さ方向の平均屈折率であり、２３℃でのナトリウムＤ線（５８９．３ｎｍ）に対する値で表される。多孔性シリカ膜からなる本体層においては、その空隙率が高いほど屈折率が小さくなるので、屈折率を小さくするほど導波光の発生を抑制して光取り出し効率を向上させることができるが、屈折率が１．１０未満では、空隙率が高いために機械的強度が不足することがある。こうした点を考慮した場合、屈折率の好ましい下限値は１．１３、更に好ましくは１．１５である。一方、屈折率が１．３５を超えると、導波光の発生を十分に抑制できなくなることがある。こうした点を考慮した場合、屈折率の好ましい上限値は１．３０、更に好ましくは１．２７である。
【００３３】
上述した屈折率を有する多孔性シリカ膜の本体層は１〜５０ｎｍの平均空孔径を有しており、光透過率と膜の機械的強度の観点から、平均空孔径の上限値が４０ｎｍであることが好ましく、３０ｎｍであることがより好ましく、２０ｎｍであることが最も好ましい。一方、平均空孔径の下限値は、光透過率と屈折率の観点から、２ｎｍであることが好ましく、３ｎｍであることがより好ましい。平均空孔径が１ｎｍ未満では、屈折率が大きくなって導波光の発生を抑制することができず、光取り出し効率を十分に向上させることができない。平均空孔径は、透過型電子顕微鏡（ＴＥＭ）または走査型電子顕微鏡（ＳＥＭ）による観察像の解析により評価される。
【００３４】
本発明の多孔性シリカ膜の空孔の形状に特に制限はなく、可能な形状としては独立気泡、トンネル状、独立気泡が連通した連通孔などが例示できるが、屈折率と機械的強度の点で好ましいのは、独立気泡が連通した連通孔である。トンネル状や独立気泡が連通した連通孔の場合における平均空孔径は、それらの幅の平均値として定義される。
【００３５】
なお、多孔性シリカ膜は、その表面、すなわち上述した緻密層表面の凹凸の最大値が通常１００ｎｍ以下であり、好ましくは５０ｎｍ以下、更に好ましくは３０ｎｍ以下である。なお、表面凹凸の最大値の下限値は、現実的には１０ｎｍ程度である。表面の凹凸は、原子間力顕微鏡（ＡＦＭ）を用いて測定される。具体的には、与えられた多孔性シリカ膜表面の任意の５カ所を選び、その１００μｍ四方の領域をＡＦＭで観察して評価する。また、表面凹凸の最大値は、ＳＥＭによる断面の電子像写真を解析することによっても決定することができる。この場合は、電子線の加速電圧５ｋＶ、観察倍率１０００倍〜１００００倍の電子顕微鏡写真を撮り、その断面の山頂部と谷底部との差で決定することができる。なお、ＳＥＭ観察試料としては、この多孔性シリカ膜を基板上に形成した際の積層基板を試料として用い、その試料を液体窒素で冷却して脆化させた状態で機械的衝撃を加え、そのときの脆性破壊面を用いた。この脆性破壊面には、試料表面の導電性を向上させる目的で一般に行われている金属や炭素等の導電性物質の薄膜を蒸着等しないものを試料とした。
【００３６】
本発明の多孔性シリカ膜は、酸化ケイ素（ＳｉＯ２）組成を主体とするものである。なお、このシリカ膜には、例えばゾル−ゲル法によるシリカ合成において有機シラン類を共重合するなどの方法でシリカ組成の一部にケイ素原子−炭素原子結合が存在してＳｉＯｘ組成（但し、ｘは０を超え２未満の正数である）となるものも含まれる。
【００３７】
このシリカ膜には、陽性元素を含む任意の化学組成（付加組成と略すことがある。）が含有されていてもよい。例えば、酸化イットリウム、酸化ランタン、酸化セリウム、酸化プラセオジム、酸化サマリウム、酸化ユウロピウム、酸化ガドリニウム、酸化テルビウム、酸化ジスプロシウム、酸化ホルミウム、酸化エルビウム、酸化ツリウム、酸化チタン、酸化ジルコニウム、酸化クロム、酸化マンガン、酸化鉄、酸化コバルト、酸化ニッケル、酸化銅、酸化亜鉛、酸化カドミウム、酸化ガリウム、酸化インジウム、酸化ゲルマニウム、酸化スズ、酸化鉛等の遷移金属酸化物組成；酸化リチウム、酸化ナトリウム、酸化カリウム、酸化ルビジウム、酸化セシウム等の酸化アルカリ金属組成；酸化マグネシウム、酸化カルシウム、酸化ストロンチウム、酸化バリウム等の酸化アルカリ土類金属組成；酸化ホウ素組成；酸化アルミニウム組成；等を挙げることができる。この他、カルコゲナイドガラス組成、フッ化ガラス組成等の公知の無機ガラス組成も挙げることができる。
【００３８】
多孔性シリカ膜を構成する酸化ケイ素組成は、ケイ素を含む全ての陽性元素に対するケイ素の割合が５０〜１００モル％となる割合で含有される。このケイ素の含有割合が５０モル％未満では、多孔性シリカ膜の屈折率が極端に大きくなったり、多孔性シリカ膜の機械的強度が極端に低下することがある。好ましい下限値としては、７０モル％、更に好ましくは８０モル％、最も好ましくは９０モル％であり、ケイ素の含有割合が高いほど良質の多孔性シリカ膜が形成される。
【００３９】
こうした組成の多孔性シリカ膜の化学組成は、機械的に掻き取った試料を熱重量測定−質量スペクトル（ＴＧ−ＭＳ）分析することによって特定することができる。本発明の多孔性シリカ膜は、ＴＧ−ＭＳ分析により、炭素数１〜４のアルコール類のうち少なくとも一種の物質のピークが、その対応する物質の７６０ｍｍＨｇにおける沸点よりも高温域で与えられるものとして特定される。
【００４０】
こうして特定される多孔性シリカ膜は、脆さが低減されて機械的性質が改善され、その多孔性シリカ膜を製膜する際の下地基板となる基板への密着性にも優れている。この理由については現時点では明らかではないが、多孔性シリカ膜に残存する炭素数１〜４のアルコキシ基及び／又はアルコール類が、多孔性シリカ膜に適度の機械的強度と基板への密着性をもたらしていると考えられる。このとき、アルコール類がメタノールまたはエタノールであることが好ましい。ＴＧ−ＭＳ分析において、炭素数１〜４の低級アルコール類のピークが、その物質の７６０ｍｍＨｇにおける沸点よりも高温域で出現する理由は、本発明の多孔性シリカ膜の空孔径が均一且つ非常に小さいため、その低級アルコール類の分子が多孔性シリカ膜の外に脱出するためには通常よりも大きなエネルギーを要するため、あるいは、炭素数１〜４のアルコール類が存在し、これと多孔性シリカ膜との間に水素結合などの何らかの相互作用が働いているためではないかと推察される。こうした現象は、本発明の多孔性シリカ膜の優れた特性（例えば、光線透過率や機械的強度など）と密接に相関していると考えられる。
【００４１】
多孔性シリカ膜中の全炭素濃度は、０．１〜１０重量％（質量％と同義。）であることが望ましい。全炭素濃度が１０重量％を超えると、有機物が実質的に残存していることになるので、残存する有機物の放出が経時的に起こり、例えばエレクトロルミネッセンス素子等に利用された場合には発光特性の経時的安定性が悪化する。一方、全炭素濃度が０．１重量％未満の場合は、多孔性シリカ膜の機械的強度が極端に低下することがある。多孔性シリカ膜の全炭素濃度の上限値は、好ましくは８重量％、更に好ましくは５％であり、下限値は、好ましくは０．２重量％、更に好ましくは０．３重量％である。多孔性シリカ膜の全炭素濃度は、市販の全炭素濃度測定装置（例えば、島津製作所製のＴＯＣ５０００など）を用い、多孔性シリカ膜の試験試料を１４５０℃に加熱した際に発生するガス中の炭素量を分析して決定される。
【００４２】
さらに、上述した多孔性シリカ膜は、耐薬品性にも優れている。具体的には、多孔性シリカ膜が形成された本発明の積層基板を、２３℃の２０重量％テトラメチルアンモニウムヒドロキシド水溶液に６０秒間浸漬し次いで水洗した場合、その前後において、多孔性シリカ膜の膜厚変化が０〜１０％、好ましくは０〜８％、更に好ましくは０〜５％となる。このように耐薬品性に優れるのは、上述した緻密層が形成されているからである。多孔性シリカ膜の膜厚は、断面のＳＥＭ観察により決定される。
【００４３】
（多孔性シリカ膜を有する積層基板）
本発明の積層基板は、基板２上に本発明に係る多孔性シリカ膜６を有するものである。多孔性シリカ膜については上述したとおりである。
【００４４】
本発明の積層基板を、例えばエレクトロルミネッセンス素子に用いる場合、透明であることが好ましく、積層基板を構成する基板としては、その屈折率が１．４〜１．９、好ましくは１．４５〜１．７０、更に好ましくは１．４７〜１．６５、最も好ましくは１．４８〜１．６０の範囲のものが用いられる。この屈折率は、ＡＳＴＭ  Ｄ−５４２に基づき、エリプソメーターによる測定で決定される全深さ方向の平均屈折率であり、２３℃でのナトリウムＤ線（５８９．３ｎｍ）に対する値で表される。こうした屈折率を有する基板としては、汎用材料からなる透明基板を用いることができる。例えば、ＢＫ７、ＳＦ１１、ＬａＳＦＮ９、ＢａＫ１、Ｆ２等の各種ショットガラス、合成フューズドシリカガラス、光学クラウンガラス、低膨張ボロシリケートガラス、サファイヤ、ソーダガラス、無アルカリガラス等のガラス、ポリメチルメタクリレートや架橋アクリレート等のアクリル樹脂、ビスフェノールＡポリカーボネート等の芳香族ポリカーボネート樹脂、ポリスチレン等のスチレン樹脂、ポリシクロオレフィン等の非晶性ポリオレフィン樹脂、エポキシ樹脂等の合成樹脂を挙げることができる。これらのうち、ＢＫ７、ＢａＫ１等のショットガラス、合成フューズドシリカガラス、光学クラウンガラス、低膨張ボロシリケートガラス、ソーダガラス、無アルカリガラス、アクリル樹脂、芳香族ポリカーボネート樹脂、非晶性ポリオレフィン樹脂が好ましく、ＢＫ７のショットガラス、合成フューズドシリカガラス、光学クラウンガラス、低膨張ボロシリケートガラス、ソーダガラス、無アルカリガラス、アクリル樹脂、芳香族ポリカーボネート樹脂が特に好ましい。
【００４５】
本発明の積層基板において、基板の厚さは、通常、０．１〜１０ｍｍである。なお、基板の厚さの下限値としては、機械的強度とガスバリヤ性の観点から、０．２ｍｍが好ましく、０．３ｍｍがより好ましい。一方、基板の厚さの上限値としては、軽量性と光線透過率の観点から、５ｍｍが好ましく、３ｍｍがより好ましい。
【００４６】
基板の透過率については、後述する多孔性シリカ膜と併せた積層基板の透過率で測定した場合に、積層基板の透過率が、ナトリウムＤ線波長（５８９．３ｎｍ）において８０％以上となることが好ましく、８５％以上となることがより好ましく、９０％以上となることが更に好ましい。
【００４７】
（多孔性シリカ膜および積層基板の製造方法）
多孔性シリカ膜は、以下の工程により形成される。▲１▼多孔性シリカ膜形成用の原料液を準備する工程、▲２▼その原料液を基板上に塗布して一次膜を形成する工程、▲３▼塗布された一次膜が高分子量化して中間体膜が形成される工程、▲４▼中間体膜に水溶性有機溶媒を接触させて多孔性シリカ膜を形成する工程、▲５▼多孔性シリカ膜に加水分解縮合反応を促進させる触媒物質を接触させて多孔性シリカ膜の表層領域に緻密層を形成する工程、▲６▼多孔性シリカ膜を洗浄する工程、▲７▼多孔性シリカ膜を乾燥する工程、▲８▼シリル化工程。以下、各工程について説明する。
【００４８】
▲１▼多孔性シリカ膜形成用の原料液を準備する工程；
多孔性シリカ膜形成用の原料液は、アルコキシシラン類を主体とするものであり、加水分解反応および脱水縮合反応により高分子量化を起こすことができる原料化合物を含む含水有機溶液である。
【００４９】
原料液である含水有機溶液は、アルコキシシラン類、親水性有機溶媒、水、および、必要に応じて加えられる触媒を含有する。
【００５０】
アルコキシシラン類としては、テトラメトキシシラン、テトラエトキシシラン、テトラ（ｎ−プロポキシ）シラン、テトライソプロポキシシラン、テトラ（ｎ−ブトキシ）シラン等のテトラアルコキシシラン類、トリメトキシシラン、トリエトキシシラン、メチルトリメトキシシラン、メチルトリエトキシシラン、フェニルトリメトキシシラン、フェニルトリエトキシシラン等のトリアルコキシシラン類、ジメチルジメトキシシラン、ジメチルジエトキシシラン、ジフェニルジメトキシシラン、ジフェニルジエトキシシラン等のジアルコキシシラン類、ビス（トリメトキシシリル）メタン、ビス（トリエトキシシリル）メタン、１，２−ビス（トリメトキシシリル）エタン、１，２−ビス（トリエトキシシリル）エタン、１，４−ビス（トリメトキシシリル）ベンゼン、１，４−ビス（トリエトキシシリル）ベンゼン、１，３，５−トリス（トリメトキシシリル）ベンゼン等の有機残基が２つ以上のトリアルコキシシリル基を結合したもの、３−アミノプロピルトリメトキシシラン、３−アミノプロピルトリエトキシシラン、３−グリシジルオキシプロピルトリメトキシシラン、３−グリシジルオキシプロピルトリエトキシシラン、３−メルカプトプロピルトリメトキシシラン、３−アクリロイロキシプロピルトリメトキシシラン、３−カルボキシプロピルトリメトキシシランなどのケイ素原子に置換するアルキル基が反応性官能基を有するものが挙げられ、更にこれらの部分加水分解物やオリゴマーであってもよい。
【００５１】
これらの中でも特に好ましいのが、テトラメトキシシラン、テトラエトキシシラン、トリメトキシシラン、トリエトキシシラン、テトラメトキシシラン若しくはテトラエトキシシランのオリゴマーである。特に、テトラメトキシシランのオリゴマーは、反応性とゲル化の制御性から最も好ましく用いられる。
【００５２】
さらに、前記アルコキシシラン類には、ケイ素原子上に２〜３個の水素、アルキル基又はアリール基を持つモノアルコキシシラン類を混合することも可能である。モノアルコキシシラン類を混合することにより、得られる多孔性シリカ膜を疎水化して耐水性を向上させることができる。モノアルコキシシラン類としては、例えば、トリエチルメトキシシラン、トリエチルエトキシシラン、トリプロピルメトキシシラン、トリフェニルメトキシシラン、トリフェニルエトキシシラン、ジフェニルメチルメトキシシラン、ジフェニルメチルエトキシシラン、等が挙げられる。モノアルコキシシラン類の混合量は、全アルコキシシラン類の７０モル％以下となるようにすることが望ましい。その混合量が７０モル％を超えると、ゲル化しない場合がある。
【００５３】
また、（３，３，３−トリフルオロプロピル）トリメトキシシラン、（３，３，３−トリフルオロプロピル）トリエトキシシラン、ペンタフルオロフェニルトリメトキシシラン、ペンタフルオロフェニルトリエトキシシラン等のフッ化アルキル基やフッ化アリール基を有するアルコキシシラン類を併用すると、優れた耐水性、耐湿性、耐汚染性等が得られる場合がある。
【００５４】
この原料液において、オリゴマーとは、架橋、カゴ型分子（シルセスキオキサンなど）でもよい。実用的には、含水有機溶液が含む縮合物の程度の上限として、溶液の透明性が、例えば波長４００ｎｍ、２３℃、光路長１０ｍｍの光線透過率として、９０〜１００％の範囲のものが好ましく用いられる。溶液の光線透過率の下限値は、好ましくは９２％以上、更に好ましくは９５％以上である。
【００５５】
なお、上記した原料液を塗布する際には、すでにある程度の高分子量化（つまり縮合がある程度進んだ状態）が達成されていることが必要であり、その高分子量化の程度としては、見た目に不溶物ができない程度の高分子量化が達成されていることが好ましい。その理由としては、塗布前の原料液中に目視可能な不溶物が存在していると、大きな表面凹凸が確実にでき膜質を低下させてしまうからである。
【００５６】
有機溶媒は、原料液を構成するアルコキシシラン類、水、および後述する、沸点８０℃以上の親水性有機化合物を混和させる能力を持つものが好ましく用いられる。使用可能な有機溶媒としては、炭素数１〜４の一価アルコール、炭素数１〜４の二価アルコール、グリセリンやペンタエリスリトールなどの多価アルコール等のアルコール類；ジエチレングリコール、エチレングリコールモノメチルエーテル、エチレングリコールジメチルエーテル、２−エトキシエタノール、プロピレングリコールモノメチルエーテル、プロピレングリコールメチルエーテルアセテート等、前記アルコール類のエーテルまたはエステル化物；アセトン、メチルエチルケトンなどのケトン類；ホルムアミド、Ｎ−メチルホルムアミド、Ｎ−エチルホルムアミド、Ｎ，Ｎ−ジメチルホルムアミド、Ｎ，Ｎ−ジエチルホルムアミド、Ｎ−メチルアセトアミド、Ｎ−エチルアセトアミド、Ｎ，Ｎ−ジメチルアセトアミド、Ｎ，Ｎ−ジエチルアセトアミド、Ｎ−メチルピロリドン、Ｎ−ホルミルモルホリン、Ｎ−アセチルモルホリン、Ｎ−ホルミルピペリジン、Ｎ−アセチルピペリジン、Ｎ−ホルミルピロリジン、Ｎ−アセチルピロリジン、Ｎ，Ｎ’−ジホルミルピペラジン、Ｎ，Ｎ’−ジホルミルピペラジン、Ｎ，Ｎ’−ジアセチルピペラジンなどのアミド類；γ−ブチロラクトンのようなラクトン類；テトラメチルウレア、Ｎ，Ｎ’−ジメチルイミダゾリジンなどのウレア類；ジメチルスルホキシドなどが挙げられる。これらの水溶性有機溶媒を、単独または混合物として用いてもよい。この中で、基板への成膜性（特に、揮発性）の点で好ましい有機溶媒としては、アセトン、メチルエチルケトン、炭素数１〜４の一価アルコールなどが挙げられる。中でも、メタノール、エタノール、ｎ−プロパノール、イソプロピルアルコール、アセトンが更に好ましく、メタノールまたはエタノールが最も好ましい。
【００５７】
沸点が８０℃以上の親水性有機化合物とは、水酸基、カルボニル基、エーテル結合、エステル結合、カーボネート結合、カルボキシル基、アミド結合、ウレタン結合、尿素結合等の親水性官能基を分子構造中に有する有機化合物のことである。この親水性有機化合物には、これらのうちの複数個の親水性官能基を分子構造中に有していてもよい。ここでいう沸点とは、７６０ｍｍＨｇの圧力下での沸点である。沸点が８０℃に満たない親水性有機化合物を用いた場合には、多孔性シリカ膜の空孔率が極端に減少することがある。沸点が８０℃以上の親水性有機化合物としては、炭素数３〜８のアルコール類、炭素数２〜６の多価アルコール類、フェノール類を好ましく挙げることができる。より好ましい親水性有機化合物としては、炭素数３〜８のアルコール類、炭素数２〜８のジオール類、炭素数３〜８のトリオール類、炭素数４〜８のテトラオール類が挙げられる。更に好ましい親水性有機化合物としては、ｎ−ブタノール、イソブチルアルコール、ｔ−ブチルアルコール、ｎ−ペンタノール、シクロペンタノール、ｎ−ヘキサノール、シクロヘキサノール、ベンジルアルコール等の炭素数４〜７のアルコール類、エチレングリコール、プロピレングリコール、１，４−ブタンジオール等の炭素数２〜４のジオール類、グリセロールやトリスヒドロキシメチルエタン等の炭素数３〜６のトリオール類、エリスリトールやペンタエリストール等の炭素数４〜５のテトラオール類が挙げられる。この親水性有機化合物において、炭素数が大すぎると、親水性が低下しすぎる場合がある。
【００５８】
触媒は、必要に応じて配合される。触媒としては、上述したアルコキシシラン類の加水分解および脱水縮合反応を促進させる物質を挙げることができる。具体例としては、塩酸、硝酸、硫酸、ギ酸、酢酸、シュウ酸、マレイン酸などの酸類；アンモニア、ブチルアミン、ジブチルアミン、トリエチルアミン等のアミン類；ピリジンなどの塩基類；アルミニウムのアセチルアセトン錯体などのルイス酸類；などが挙げられる。
【００５９】
触媒として用いる金属キレート化合物の金属種としては、チタン、アルミニウム、ジルコニウム、スズ、アンチモン等が挙げられる。具体的な金属キレート化合物としては、例えば以下のようなものが挙げられる。
【００６０】
アルミニウム錯体としては、ジ−エトキシ・モノ（アセチルアセトナート）アルミニウム、ジ−ｎ−プロポキシ・モノ（アセチルアセトナート）アルミニウム、ジ−イソプロポキシ・モノ（アセチルアセトナート）アルミニウム、ジ−ｎ−ブトキシ・モノ（アセチルアセトナート）アルミニウム、ジ−ｓｅｃ−ブトキシ・モノ（アセチルアセトナート）アルミニウム、ジ−ｔｅｒｔ−ブトキシ・モノ（アセチルアセトナート）アルミニウム、モノエトキシ・ビス（アセチルアセトナート）アルミニウム、モノ−ｎ−プロポキシ・ビス（アセチルアセトナート）アルミニウム、モノイソプロポキシ・ビス（アセチルアセトナート）アルミニウム、モノ−ｎ−ブトキシ・ビス（アセチルアセトナート）アルミニウム、モノ−ｓｅｃ−ブトキシ・ビス（アセチルアセトナート）アルミニウム、モノ−ｔｅｒｔ−ブトキシ・ビス（アセチルアセトナート）アルミニウム、トリス（アセチルアセトナート）アルミニウム、ジエトキシ・モノ（エチルアセトアセテート）アルミニウム、ジ−ｎ−プロポキシ・モノ（エチルアセトアセテート）アルミニウム、ジイソプロポキシ・モノ（エチルアセトアセテート）アルミニウム、ジ−ｎ−ブトキシ・モノ（エチルアセトアセテート）アルミニウム、ジ−ｓｅｃ−ブトキシ・モノ（エチルアセトアセテート）アルミニウム、ジ−ｔｅｒｔ−ブトキシ・モノ（エチルアセトアセテート）アルミニウム、モノエトキシ・ビス（エチルアセトアセテート）アルミニウム、モノ−ｎ−プロポキシ・ビス（エチルアセトアセテート）アルミニウム、モノイソプロポキシ・ビス（エチルアセトアセテート）アルミニウム、モノ−ｎ−ブトキシ・ビス（エチルアセトアセテート）アルミニウム、モノ−ｓｅｃ−ブトキシ・ビス（エチルアセトアセテート）アルミニウム、モノ−ｔｅｒｔ−ブトキシ・ビス（エチルアセトアセテート）アルミニウム、トリス（エチルアセトアセテート）アルミニウム等のアルミニウムキレート化合物等を挙げることができる。
【００６１】
チタン錯体としては、トリエトキシ・モノ（アセチルアセトナート）チタン、トリ−ｎ−プロポキシ・モノ（アセチルアセトナート）チタン、トリイソプロポキシ・モノ（アセチルアセトナート）チタン、トリ−ｎ−ブトキシ・モノ（アセチルアセトナート）チタン、トリ−ｓｅｃ−ブトキシ・モノ（アセチルアセトナート）チタン、トリ−ｔｅｒｔ−ブトキシ・モノ（アセチルアセトナート）チタン、ジエトキシ・ビス（アセチルアセトナート）チタン、ジ−ｎ−プロポキシ・ビス（アセチルアセトナート）チタン、ジイソプロポキシ・ビス（アセチルアセトナート）チタン、ジ−ｎ−ブトキシ・ビス（アセチルアセトナート）チタン、ジ−ｓｅｃ−ブトキシ・ビス（アセチルアセトナート）チタン、ジ−ｔｅｒｔ−ブトキシ・ビス（アセチルアセトナート）チタン、モノエトキシ・トリス（アセチルアセトナート）チタン、モノ−ｎ−プロポキシ・トリス（アセチルアセトナート）チタン、モノイソプロポキシ・トリス（アセチルアセトナート）チタン、モノ−ｎ−ブトキシ・トリス（アセチルアセトナート）チタン、モノ−ｓｅｃ−ブトキシ・トリス（アセチルアセトナート）チタン、モノ−ｔｅｒｔ−ブトキシ・トリス（アセチルアセトナート）チタン、テトラキス（アセチルアセトナート）チタン、トリエトキシ・モノ（エチルアセトアセテート）チタン、トリ−ｎ−プロポキシ・モノ（エチルアセトアセテート）チタン、トリイソプロポキシ・モノ（エチルアセトアセテート）チタン、トリ−ｎ−ブトキシ・モノ（エチルアセトアセテート）チタン、トリ−ｓｅｃ−ブトキシ・モノ（エチルアセトアセテート）チタン、トリ−ｔｅｒｔ−ブトキシ・モノ（エチルアセトアセテート）チタン、ジエトキシ・ビス（エチルアセトアセテート）チタン、ジ−ｎ−プロポキシ・ビス（エチルアセトアセテート）チタン、ジイソプロポキシ・ビス（エチルアセトアセテート）チタン、ジ−ｎ−ブトキシ・ビス（エチルアセトアセテート）チタン、ジ−ｓｅｃ−ブトキシ・ビス（エチルアセトアセテート）チタン、ジ−ｔｅｒｔ−ブトキシ・ビス（エチルアセトアセテート）チタン、モノエトキシ・トリス（エチルアセトアセテート）チタン、モノ−ｎ−プロポキシ・トリス（エチルアセトアセテート）チタン、モノイソプロポキシ・トリス（エチルアセトアセテート）チタン、モノ−ｎ−ブトキシ・トリス（エチルアセトアセテート）チタン、モノ−ｓｅｃ−ブトキシ・トリス（エチルアセトアセテート）チタン、モノ−ｔｅｒｔ−ブトキシ・トリス（エチルアセトアセテート）チタン、テトラキス（エチルアセトアセテート）チタン、モノ（アセチルアセトナート）トリス（エチルアセトアセテート）チタン、ビス（アセチルアセトナート）ビス（エチルアセトアセテート）チタン、トリス（アセチルアセトナート）モノ（エチルアセトアセテート）チタン等を挙げることができる。
【００６２】
また、これらの触媒以外に、弱アルカリ性の化合物、例えばアンモニアなどの塩基性の触媒を使用してもよい。この際には、シリカ濃度調整、有機溶媒種等を適宜調整することが好ましい。また、含水有機溶液を調整する際には、溶液中の触媒濃度を急激に増加させないことが好ましい。具体例としては、アルコキシシラン類と有機溶媒の一部を混合し、次いでこれに水を混合し、最後に残余の有機溶媒、および塩基を混合するという順序にて混合する方法が挙げられる。
【００６３】
特に、高揮発性で除去が容易な塩酸や、アルミニウムのアセチルアセトン錯体などのルイス酸類が好ましい。触媒の添加量は、アルコキシシラン類１モルに対して、通常０．００１〜１モル、好ましくは０．０１〜０．１モルである。触媒の添加量が１モルを超えると、粗大ゲル粒子からなる沈殿物が生成し、均一な多孔性シリカ膜が得られない場合がある。
【００６４】
本発明の多孔性シリカ膜形成用の原料液は、上述した原料を配合して形成される。アルコキシシラン類の配合割合は、原料液全体に対して、１０〜６０重量％であることが好ましく、２０〜４０重量％であることがより好ましい。アルコキシシラン類の配合割合が６０重量％を超える場合には、成膜時に多孔性シリカ膜が割れることがある。一方、アルコキシシラン類の配合割合が１０重量％未満の場合は、加水分解反応および脱水縮合反応が極端に遅くなり、成膜性の悪化（膜ムラ）が起きることがある。
【００６５】
水は、使用するアルコキシシラン類の重量の０．０１〜１０倍、好ましくは０．０５〜７倍、更に好ましくは０．０７〜５倍配合される。水の配合量がアルコキシシラン類の重量の０．０１倍未満の場合には、加水分解縮合反応の進行度が不十分となり、膜が白濁することがある。一方、水の配合量がアルコキシシラン類の重量の１０倍を超える場合には、原料液の表面張力が極端に大きくなり、成膜性が悪く（液のハジキ等）なることがある。
【００６６】
水は、アルコキシシラン類の加水分解に必要であり、目的である多孔性シリカ膜の造膜性向上という観点から重要である。よって好ましい水の量をアルコキシド基量に対するモル比で規定すると、アルコキシシラン中のアルコキシド基１モルに対して０．１〜１．６モル倍量、中でも０．３〜１．２モル倍量、特に０．５〜０．７モル倍量であることが好ましい。
【００６７】
水の添加はアルコキシシラン類を有機溶媒に溶解させた後であればいつでもよいが、望ましくはアルコキシシラン類、触媒およびその他の添加物を十分、溶媒に分散させた後、水を添加する方が最も好ましい。
【００６８】
用いる水の純度は、イオン交換、蒸留、いずれか一方または両方の処理をしたものを用いればよい。本発明の多孔性シリカ膜を半導体材料や光学材料など、微小不純物を特に嫌う用途分野に用いる際には、より純度の高い多孔性シリカ膜が必要とされるため、蒸留水をさらにイオン交換した超純水を用いるのが望ましく、この際には例えば０．０１〜０．５μｍの孔径を有するフィルターを通した水を用いればよい。
【００６９】
含水有機溶液に沸点８０℃以上の親水性有機化合物を用いる際には、沸点８０℃以上の親水性有機化合物の含有量が、有機溶媒と沸点８０℃以上の親水性有機化合物の合計含有量に対して、特定量以下であることが重要である。この合計含有量に対する、沸点８０℃以上の親水性有機化合物の含有量は９０重量％以下であり、好ましくは８５重量％以下である。
【００７０】
沸点８０℃以上の親水性有機化合物の配合割合が少なすぎると、多孔性シリカ膜の空孔率が極端小さくなり、多孔性シリカ膜の低屈折率化を達成することが困難な場合があるので、一般的には有機溶媒と沸点８０℃以上の親水性有機化合物の合計含有量の３０重量％以上、中でも５０重量％以上、特に６０重量％以上であることが好ましい。一方、親水性有機化合物の配合割合が該合計含有量の９０重量％を超える場合には、成膜途中で塗膜が白濁したり、多孔性シリカ膜が割れることがある。よって含水有機溶液における沸点８０℃以上の親水性有機化合物の含有量は、該合計含有量の３０重量％以上９０重量％以下、中でも５０重量％以上８５重量％以下、特に６０重量％以上８５重量％以下であることが好ましい。
【００７１】
塗布液の調製における雰囲気温度や、混合順序は任意であるが、塗布液中での均一な構造形成を得るため、水は最後に混合するのが好ましい。また、塗布液中でのシリコンアルコキシドの極端な加水分解や縮合反応を抑えるため、塗布液の調整は０〜６０℃、中でも１５〜４０℃、特に１５〜３０℃の温度範囲条件下で行うことが好ましい。
【００７２】
調液時においては、塗布液の攪拌操作は任意であるが、混合毎にスターラーにより攪拌を行うのがより好ましい。
【００７３】
さらに塗布液調整後、シリコンアルコキシド類を加水分解、脱水縮合反応を進行させるため、溶液の熟成をすることが好ましい。この熟成期間中においては、生成するシリコンアルコキシド類の加水分解縮合物が、塗布液内においてより均一に分散した状態であることが好ましいので、液を攪拌することが好ましい。
【００７４】
熟成期間中の温度は任意であり、一般的には室温、若しくは連続的または断続的に加熱してもよい。中でも、シリコンアルコキシド類の加水分解縮合物による３次元ナノポーラス構造を形成させるために、急速な加熱熟成を行うことが好ましい。さらに、加熱熟成する際には、塗布液調整直後の加熱熟成が好ましく、塗布液調整後１５日以内、更には１２日以内、中でも３日以内、特に１日以内の加熱熟成開始が好ましい。
【００７５】
具体的には、４０〜７０℃で１〜５時間の加速熟成が好ましく、その際、均一なポーラス構造を得るため、攪拌を行うことが好ましい。特に多孔化という観点では、６０℃近傍の温度で２〜３時間の加速熟成が好ましい。
【００７６】
原料液の粘度は、０．１〜１０００センチポイズ、好ましくは０．５〜５００センチポイズ、さらに好ましくは１〜１００センチポイズであり、この範囲の粘度の原料液を用いることが製造上の観点から好ましい。
【００７７】
▲２▼原料液から一次膜を形成する工程；
一次膜は、原料液である含水有機溶液を基板上に塗布して形成される。基板としては、シリコン、ゲルマニウム等の半導体、ガリウム−砒素、インジウム−アンチモン等の化合物半導体、セラミックス、金属等の基板、さらにはガラス基板、合成樹脂基板等の透明基板等が挙げられる。
【００７８】
本発明の多孔性シリカ膜を基板上に形成する際、基板表面の性質が多孔性シリカ膜の性質を左右する可能性がある。よって基板表面の洗浄だけではなく、場合によっては基板の表面処理を行ってもよい。基板表面洗浄としては、硫酸、塩酸、硝酸、燐酸等の酸類、水酸化ナトリウム水溶液等のアルカリ類、過酸化水素と濃硫酸、塩酸、アンモニア等の酸化性を有する混合液への浸漬処理が挙げられる。特に多孔性シリカ膜との密着性という観点からは、シリコン基板、透明ガラス基板に対して硫酸、硝酸等の酸類による表面処理を行うことがより好ましい。
【００７９】
原料液を塗布する手段としては、原料液をバーコーター、アプリケーターまたはドクターブレードなどを使用して基板上に延ばす流延法、原料液に基板を浸漬し引き上げるディップ法、または、スピンコート法などの周知を挙げることができる。これらの手段のうち、流延法とスピンコート法が原料液を均一に塗布することができるので好ましく採用される。
【００８０】
流延法で原料液を塗布する場合における流延速度は、０．１〜１０００ｍ／分、好ましくは０．５〜７００ｍ／分、更に好ましくは１〜５００ｍ／分である。
【００８１】
スピンコート法で原料液を塗布形成する場における回転速度は、１０〜１０００００回転／分、好ましくは５０〜５００００回転／分、更に好ましくは１００〜１００００回転／分である。
【００８２】
ディップコート法においては、任意の速度で、基板を塗布液に浸漬し引き上げればよい。この際の引き上げ速度は０．０１〜５０ｍｍ／秒、中でも０．０５〜３０ｍｍ／秒、特に０．１〜２０ｍｍ／秒の速度で引き上げるのが好ましい。基板を塗布液中に浸漬する速度に制限はないが、引き上げ速度と同程度の速度で基板を塗布液中に浸漬することが好ましい場合がある。基板を塗布液中に浸漬し引き上げるまでの間、適当な時間浸漬を継続してもよく、この継続時間は通常１秒〜４８時間、好ましくは３秒〜２４時間、更に好ましくは５秒〜１２時間である。
【００８３】
また、塗布中の雰囲気は、空気中又は窒素やアルゴン等の不活性気体中でもよく、温度は通常０〜６０℃、好ましくは１０〜５０℃、更に好ましくは２０〜４０℃であり、雰囲気の相対湿度は通常５〜９０％、好ましくは１０〜８０％、更に好ましくは１５〜７０％である。なお、ディップコート法ではスピンコート法に比べ、乾燥速度が遅いため、塗布後のゾルーゲル反応でより歪みの少ない安定な膜を形成する傾向にある。従って、基板の表面処理により好ましく膜構造を制御できる場合がある。
【００８４】
成膜温度は、０〜１００℃、好ましくは１０〜８０℃、更に好ましくは２０〜７０℃である。
【００８５】
▲３▼塗布された膜が高分子量化されて中間体膜が形成される工程；
塗布された膜は高分子量化され、中間体膜が形成される。この反応はいわゆるゾル−ゲル法と呼ばれ、その素反応は、アルコキシシラン類の加水分解反応、その加水分解反応で生成するシラノール基同士の脱水縮合反応の二つの素反応からなる。
【００８６】
加水分解反応は、水を添加することによって引き起こされるが、水は液体のまま、アルコール水溶液として、または、水蒸気として加えることができ特に限定されない。水の添加を急激に行うと、アルコキシシランの種類によっては加水分解反応と脱水縮合反応とが速く起こりすぎ、沈殿が生じることがある。そのため、そのような沈殿が起こらないように、水の添加に十分な時間をかけること、アルコール溶媒を共存させて水を均一に添加する状態にすること、水を低温で添加して添加時の反応を抑制すること、等の手段を単独でまたは組み合わせて用いることが好ましい。
【００８７】
ゾル−ゲル法によるアルコキシシラン類の加水分解縮合反応が進行すると、アルコキシシラン類の縮合物が徐々に高分子量化する。加水分解縮合反応においては、相平衡の変化に起因すると考えられる相分離が起こる場合があるが、本発明においては、原料液の組成、使用するアルコキシシラン類および沸点８０℃以上の親水性有機化合物の親水性の程度の兼ね合いにより、相分離がナノメートルスケールで起こるように制御される。その結果、親水性有機化合物の分離相が、アルコキシシラン類縮合物のゲル網目の中に保持されたまま基板上に成膜され、中間体膜を構成する。
【００８８】
このようなことから、沸点が８０℃以上の親水性有機化合物の親水性の制御は重要であり、その親水性有機化合物を比誘電率で表すと、好ましくは１０〜２０、更に好ましくは１３〜１９と規定できる。
【００８９】
こうした親水性の程度の兼ね合いの観点から、原料液である含水有機溶液が、比誘電率２３以上の有機溶媒（具体的には、メタノール、エタノール等）を含有することが望ましい。特に、比誘電率が２３以上の有機溶媒と沸点８０℃以上の親水性有機化合物との重量比（有機溶媒の重量／親水性有機化合物の重量）を５／５〜２／８の範囲にすると、更に望ましい相分離挙動を達成する。この重量比については、４／６〜２／８が最も好ましい。
【００９０】
▲４▼中間体膜に水溶性有機溶媒を接触させて多孔性シリカ膜を形成する工程（抽出工程）；
中間体膜に水溶性有機溶媒を接触させることにより、中間体膜中の上記親水性有機化合物が抽出除去されると共に、中間体膜中の水が除去される。中間体膜中に存在する水は、有機溶媒に溶けているだけでなく膜構成物質の内壁にも吸着しているので、中間体膜中の水を効果的に除去するためには、有機溶媒中の水の含有量をコントロールする。したがって、有機溶媒中の水の含有量は、０〜１０重量％、好ましくは０〜５重量％、更に好ましくは０〜３重量％である。脱水が十分に行われない場合には、その後に行われる膜の加熱または乾燥工程で空孔が崩壊して消滅または小さくなることがある。
【００９１】
中間体膜中の親水性有機化合物の抽出除去手段としては、例えば、中間体膜を水溶性有機溶媒に浸漬すること、中間体膜の表面を水溶性有機溶媒で洗浄すること、中間体膜の表面に水溶性有機溶媒を噴霧すること、中間体膜の表面に水溶性有機溶媒の蒸気を吹き付けること等の手段を挙げることができる。これらのうち、浸漬手段と洗浄手段が好ましい。中間体膜と水溶性有機溶媒との接触時間は、１秒〜２４時間の範囲で設定できるが、生産性の観点から、接触時間の上限値は、１２時間が好ましく、６時間がより好ましい。一方、接触時間の下限値は、前記の沸点８０℃以上の親水性有機化合物および水の除去が十分に行われることが必要であることから、１０秒が好ましく、３０秒がより好ましい。
【００９２】
▲５▼多孔性シリカ膜に触媒物質を接触させて緻密層を形成する工程（触媒接触工程）；
この触媒接触工程は、多孔性シリカ膜に加水分解縮合反応を促進させる触媒物質を接触させて多孔性シリカ膜の表層領域に緻密層を形成する工程であり、上記抽出工程の前、抽出工程の後または抽出工程と同時に、その中間体膜に酸類または塩基類を接触させる。こうすることにより、中間体膜の表層領域において、アルコキシシラン類の加水分解縮合反応を促進させることができ、緻密層が形成される。緻密層の構造については上述したとおりである。
【００９３】
接触させる好ましい酸類としては、塩化水素、臭化水素、ヨウ化水素等のハロゲン化水素、硫酸、メタンスルホン酸、ベンゼンスルホン酸、トルエンスルホン酸、カンファースルホン酸、ヒドロキシベンゼンスルホン酸等のスルホン酸類、リン酸、メチルホスホン酸、ベンゼンホスホン酸等のリン酸類、ギ酸、酢酸、プロパン酸、ブタン酸、ペンタン酸、ヘキサン酸、マロン酸、コハク酸、リンゴ酸、クエン酸、乳酸、グルタミン酸、アスパラギン酸、チオリンゴ酸、モノクロロ酢酸、ジクロロ酢酸、トリクロロ酢酸、トリフルオロ酢酸、安息香酸、ヒドロキシ安息香酸、没食子酸等のカルボン酸等が挙げられる。これらのうち、塩化水素、ギ酸、酢酸、トリフルオロ酢酸等の気化しやすい酸類が好ましく、また、リンゴ酸、クエン酸、乳酸、グルタミン酸、アスパラギン酸、チオリンゴ酸等の水溶性に優れた酸類が好ましい。特に好ましいものは、塩化水素、ギ酸、酢酸、トリフルオロ酢酸等の気化しやすい酸類である。
【００９４】
接触させる好ましい塩基類としては、アンモニア、メチルアミン、ジメチルアミン、トリメチルアミン、エチルアミン、ジエチルアミン、トリエチルアミン、ｎ−プロピルアミン、ジ（ｎ−プロピル）アミン、トリ（ｎ−プロピル）アミン、イソプロピルアミン、ジイソプロピルアミン、トリイソプロピルアミン、ｎ−ブチルアミン、ジ（ｎ−ブチル）アミン、トリ（ｎ−ブチル）アミン、シクロペンチルアミン、シクロヘキシルアミン、ピロリジン、ピペリジン、モルホリン等のモノアミン類、ジアミノエタン、１，３−ジアミノプロパン、１，４−ジアミノブタン、１，５−ジアミノペンタン、１，６−ジアミノヘキサン、１，４−ジアミノシクロヘキサン等のジアミン類、ピリジン、メチルピリジン、ジメチルピリジン、トリメチルピリジン、Ｎ，Ｎ−ジメチルアミノピリジン、キノリン、イミダゾール等の含窒素芳香族化合物、ホルムアルデヒド、アセトアミド、Ｎ−メチルホルムアルデヒド、Ｎ−メチルアセトアミド、Ｎ，Ｎ−ジメチルホルムアミド、Ｎ，Ｎ−ジメチルアセトアミド等のカルボン酸アミド類、水酸化リチウム、水酸化ナトリウム、水酸化カリウム等のアルカリ金蔵水酸化物、炭酸リチウム、炭酸ナトリウム、炭酸カリウム等のアルカリ炭酸塩、炭酸水素リチウム、炭酸水素ナトリウム、炭酸水素カリウム等の炭酸水素塩等が挙げられる。これらのうち、アンモニア、メチルアミン、ジメチルアミン、トリメチルアミン、エチルアミン、ジエチルアミン、トリエチルアミン、ｎ−プロピルアミン、ジ（ｎ−プロピル）アミン、トリ（ｎ−プロピル）アミン、イソプロピルアミン、ジイソプロピルアミン、トリイソプロピルアミン、ｎ−ブチルアミン、ジ（ｎ−ブチル）アミン、シクロペンチルアミン、シクロヘキシルアミン、ピロリジン、ピペリジン、モルホリン等の大気圧下での沸点が１６０℃以下のモノアミン類、ピリジン、メチルピリジン、ジメチルピリジン、トリメチルピリジン、Ｎ，Ｎ−ジメチルアミノピリジン等のピリジン誘導体が好ましく、アンモニア、メチルアミン、ジメチルアミン、トリメチルアミン、エチルアミン、ジエチルアミン、トリエチルアミン、ｎ−プロピルアミン、イソプロピルアミン、ｎ−ブチルアミン、シクロペンチルアミン、シクロヘキシルアミン等の分子構造中の炭素数が６以下のモノアミン類が特に好ましい。
【００９５】
中間体膜を酸類または塩基類と接触させる方法としては、酸類または塩基類の液体または溶液または蒸気が用いられる。また、抽出工程時で使用する上述した水溶性有機溶媒に酸類または塩基類を溶解し、抽出工程と同時に接触させることもできる。
【００９６】
▲６▼多孔性シリカ膜を洗浄する工程；
多孔性シリカ膜の形成工程の任意の時期に、多孔性シリカ膜の洗浄工程を加えてもよい。洗浄は、多孔性シリカ膜に洗浄液を噴霧したり、多孔性シリカ膜を洗浄液中に浸漬したり、多孔性シリカ膜上に洗浄液を流延したりして行われる。洗浄液としては、水、弱酸性水溶液、弱アルカリ性水溶液、炭素数１〜４のアルコール類、アセトンやメチルエチルケトン等のケトン類、ジエチルエーテルやテトラヒドロフラン等の親水性エーテル類、酢酸メチルや酢酸エチル等の水に部分的に混和するエステル類等を挙げることができ、好ましい洗浄液としては水を挙げることができる。特に、前記酸類または塩基類との上記▲５▼の接触工程の後で、酸類または塩基類の除去を目的とする洗浄工程を加えることが好ましい。
【００９７】
▲７▼多孔性シリカ膜を乾燥する工程；
乾燥工程は、多孔性シリカ膜に残存する揮発成分を除去する目的及び／又はアルコキシシラン類の加水分解縮合反応を促進する目的で行われる。乾燥温度は、２０〜５００℃、好ましくは３０〜４００℃、更に好ましくは５０〜３５０℃であり、乾燥時間は、１分〜５０時間、好ましくは３分〜３０時間、更に好ましくは５分〜１５時間である。乾燥方式は、送風乾燥、減圧乾燥等の公知の方式で行うことができ、それらを組み合わせてもよい。なお、乾燥が強すぎて揮発成分を急激に除去すると多孔性シリカ膜に割れが発生するので、送風乾燥のような緩やかな乾燥方式が好ましい。送風乾燥の後は、揮発成分の十分な除去を目的とした減圧乾燥を追加することもできる。
【００９８】
なお、この乾燥工程を、上述した抽出工程の代わりとすることもできる（請求項６に対応）。すなわち、上記▲３▼の工程で形成された中間体膜から沸点８０℃以上の親水性有機化合物を除去する工程として、上述の▲４▼の抽出工程によらず、ここで説明した乾燥工程で実施することができる。但し、この場合でも、必ず上述した▲５▼の接触工程を経た後にこの乾燥工程に供される。
【００９９】
こうした乾燥工程で上記親水性有機化合物を除去することができる積層基板の製造方法は、加水分解反応および脱水縮合反応を起こすアルコキシシラン類を主体とした原料化合物と沸点８０℃以上の親水性有機化合物とを含む含水有機溶液を基板上に塗布して一次膜を形成する工程、前記一次膜を形成する含水有機溶液が加水分解反応および脱水縮合反応を起こして中間体膜が形成される工程、前記中間体膜に加水分解反応および脱水縮合反応を促進させる触媒物質を接触させて当該中間体膜の表層領域に緻密層を形成する工程、および、前記中間体膜を乾燥させて前記の沸点８０℃以上の親水性有機化合物を除去して多孔性シリカ膜を形成する工程、を少なくとも含む構成で特定できる。
【０１００】
▲８▼シリル化工程；
得られた多孔性シリカ膜をシリル化剤で処理することが好ましい。シリル化剤で処理することにより、多孔性シリカ膜に疎水性が付与され、アルカリ水などの不純物により空孔が汚染されるのを防ぐことができる。シリル化剤としては、例えば、トリメチルメトキシシラン、トリメチルエトキシシラン、ジメチルジメトキシシラン、ジメチルジエトキシシラン、メチルトリメトキシシラン、メチルトリエトキシシラン、ジメチルエトキシシラン、メチルジエトキシシラン、ジメチルビニルメトキシシラン、ジメチルビニルエトキシシラン、ジフェニルジメトキシシラン、ジフェニルジエトキシシラン、フェニルトリメトキシシラン、フェニルトリエトキシシラン等のアルコキシシラン類、トリメチルクロロシラン、ジメチルジクロロシラン、メチルトリクロロシラン、メチルジクロロシラン、ジメチルクロロソラン、ジメチルビニルクロロシラン、メチルビニルジクロロシラン、メチルクロロジシラン、トリフェニルクロロシラン、メチルジフェニルクロロシラン、ジフェニルジクロロシランなどのクロロシラン類、ヘキサメチルジシラザン、Ｎ，Ｎ’−ビス（トリメチルシリル）ウレア、Ｎ−トリメチルシリルアセトアミド、ジメチルトリメチルシリルアミン、ジエチルトリエチルシリルアミン、トリメチルシリルイミダゾールなどのシラザン類、（３，３，３−トリフルオロプロピル）トリメトキシシラン、（３，３，３−トリフルオロプロピル）トリエトキシシラン、ペンタフルオロフェニルトリメトキシシラン、ペンタフルオロフェニルトリエトキシシラン等のフッ化アルキル基やフッ化アリール基を有するアルコキシシラン類などが挙げられる。シリル化は、シリル化剤を多孔性シリカ膜に塗布したり、シリル化剤中に多孔性シリカ膜を浸漬したり、多孔性シリカ膜をシリル化剤の蒸気中に曝したりすることにより行うことができる。
【０１０１】
（エレクトロルミネッセンス素子）
本発明のエレクトロルミネッセンス素子は、図１に示すように、上述した積層基板を有し、その積層基板上に、少なくとも透明電極、エレクトロルミネッセンス層および陰極がこの順で積層されていることに特徴がある。
【０１０２】
特に、本発明のエレクトロルミネッセンス素子は、緻密層が表層領域に形成された多孔性シリカ膜を有する積層基板を備えるので、エレクトロルミネッセンス素子の製造工程中の不純物、特に多孔性シリカ膜上にＩＴＯ等の透明電極をパターニングする際のアルカリ水等が素子内に残留するのを抑制できるので、そうした不純物に基づいた経時変化を抑制でき、長期信頼性に優れたエレクトロルミネッセンス素子を提供する上で極めて有効である。
【０１０３】
さらに、その多孔性シリカ膜は、表面凹凸の最大値が１００ｎｍ以下という平滑な表面を有するので、その多孔性シリカ膜上に形成される透明電極の突起や陥没がなく、陽極との間でショート等が生じることがない。こうして得られたエレクトロルミネッセンス素子は、信頼性に優れると共に、その多孔性シリカ膜の低屈折率に基づいた高い光取り出し効率をもたらすことができるという利点がある。
【０１０４】
（ａ）透明電極は、エレクトロルミネッセンス素子の陽極として作用する。透明電極としては、錫を添加した酸化インジウム（通称ＩＴＯと呼ばれている。）、アルミニウムを添加した酸化亜鉛（通称ＡＺＯと呼ばれている。）等の複合酸化物薄膜が好ましく用いられる。特にＩＴＯであることが好ましい。
【０１０５】
透明電極は、蒸着やスパッタリング等の真空成膜プロセスにより形成される。形成された透明電極の可視光波長領域における光線透過率は大きいほど好ましく、例えば５０〜９９％である。好ましい下限値としては６０％、更に好ましくは７０％である。透明電極の電気抵抗は、面抵抗値として小さいほど好ましいが、通常１〜１００Ω／□（＝１ｃｍ２）であり、その上限値は好ましくは７０Ω／□、更に好ましくは５０Ω／□である。また、透明電極の厚さは、上述した光線透過率および面抵抗値を満足する限りにおいて、通常０．０１〜１０μｍ、導電性の観点からその下限値は、０．０３μｍが好ましく、０．０５μｍが更に好ましい。一方、光線透過率の観点からその上限値は、１μｍが好ましく、０．５μｍが更に好ましい。こうした透明電極は、フォトリソグラフィ法等により、エレクトロルミネッセンス素子の電極として必要なパターンに形成される。
【０１０６】
（ｂ）エレクトロルミネッセンス層は、電界が印加されることにより発光現象を示す物質により成膜されたものであり、その物質としては、付活酸化亜鉛ＺｎＳ：Ｘ（但し、Ｘは、Ｍｎ、Ｔｂ、Ｃｕ，Ｓｍ等の付活元素である。）、ＣａＳ：Ｅｕ、ＳｒＳ：Ｃｅ，ＳｒＧａ２Ｓ４：Ｃｅ、ＣａＧａ２Ｓ４：Ｃｅ、ＣａＳ：Ｐｂ、ＢａＡｌ２Ｓ４：Ｅｕ等の従来より使用されている無機ＥＬ物質、８−ヒドロキシキノリンのアルミニウム錯体、芳香族アミン類、アントラセン単結晶等の低分子色素系の有機ＥＬ物質、ポリ（ｐ−フェニレンビニレン）、ポリ［２−メトキシ−５−（２−エチルヘキシルオキシ）−１、４−フェニレンビニレン］、ポリ（３−アルキルチオフェン）、ポリビニルカルバゾールなどの共役高分子系の有機ＥＬ物質等、従来より使用されている有機ＥＬ物質を用いることができる。エレクトロルミネッセンス層の厚さは、通常０．０１〜１μｍ、好ましくは０．０３〜０．５μｍ、更に好ましくは０．０５〜０．２μｍである。エレクトロルミネッセンス層は、蒸着やスパッタリング等の真空成膜プロセスにより形成することができる。
【０１０７】
（ｃ）陰極は、上述した透明電極と対向し、エレクトロルミネッセンス層を挟むように設けられ、アルミニウム、錫、マグネシウム、インジウム、カルシウム、金、銀、銅、ニッケル、クロム、パラジウム、白金、マグネシウム−銀合金、マグネシウム−インジウム合金、アルミニウム−リチウム合金等で形成される。特にアルミニウムで形成することが好ましい。陰極の厚さは、通常０．０１〜１μｍ、好ましくは０．０３〜０．５μｍ、更に好ましくは０．０５〜０．３μｍである。陰極は、蒸着やスパッタリング等の真空成膜プロセスにより形成することができる。
【０１０８】
（ｄ）なお、エレクトロルミネッセンス層と透明電極との間には、正孔注入層や正孔輸送層を更に積層することができ、エレクトロルミネッセンス層と陰極との間には、電子注入層や電子輸送層を更に積層することができる。また、これら以外の公知の層を適用しても構わない。
【０１０９】
【実施例】
以下、実施例と比較例により、本発明をさらに具体的に説明する。
【０１１０】
（実施例１）
アルコキシシラン類である重合度分布が２〜２０程度でピーク平均重合度が３〜４のメトキシシランオリゴマーであるＭＫＣシリケートＭＳ５１（６．６ｇ、三菱化学（株）製、ＭＫＣシリケートは登録商標）、有機溶媒であるメタノール（２．９ｇ）、沸点８０℃以上の親水性有機化合物であるｎ−ブタノール（９．８ｇ）、触媒であるアルミニウムアセチルアセトネート錯体の５重量％メタノール溶液（１．３ｇ）、および水（１．４ｇ）を混合し、６０℃で２．５時間撹拌した後、更に３日間室温で静置し、含水有機溶液である原料液を準備した。
【０１１１】
この原料液を、ナトリウムＤ線波長で２３℃における屈折率が１．５のガラス基板（厚さ０．７ｍｍ）上に塗布して一次膜を形成した。原料液の塗布は、室温・大気下で３０００回転／分の回転速度で２０秒間スピンコートし、１０分間静置して中間体膜を得た。
【０１１２】
得られた中間体膜を、水溶性有機溶媒である３００ｍＬのメタノール中に５分間浸漬し、乾燥後、１５０℃のオーブン中で３０分間乾燥して、厚さ４００ｎｍの多孔性シリカ膜を得た。
【０１１３】
得られた多孔性シリカ膜を、触媒物質であるアンモニア蒸気を含む気体雰囲気下に５分間静置し、多孔性シリカ膜の表面から約３０ｎｍの深さの領域に厚さ２５ｎｍの緻密層を有する多孔性シリカ膜を得た。
【０１１４】
こうして得られた多孔性シリカ膜の緻密層には１〜５ｎｍ幅の空隙が形成され、緻密層以外の本体層には１５〜２０ｎｍ幅の空隙が形成されていた。また。多孔性シリカ膜の表面は、非常に平坦であり、表面凹凸の最大値は１０ｎｍであった。なお、エリプソメトリーによる屈折率測定から、この多孔性シリカ膜（本体層）の屈折率は１．３であった。また、多孔性シリカ膜中の全炭素濃度は３％であり、１３Ｃ固体ＮＭＲ測定結果からは、メタノールが存在し原料のメトキシシランオリゴマーに由来するメトキシ基は実質的に観測されないことがわかった。また、ＴＧ−ＭＳ分析を行ったところ、膜中に含有されているメタノールは７６０ｍｍＨｇでの沸点よりも高い温度で膜から放出される、という結果が得られた。
【０１１５】
（測定）
緻密層の構造；多孔性シリカ膜の緻密層の構造の観察には、日本電子製ＪＳＭ６３２０Ｆ走査型電子顕微鏡を用い、加速電圧５ｋＶ、拡大倍率５００００倍および１０００００倍で観察した。緻密層の構造の解析は、上述した通りである。
【０１１６】
表面凹凸の最大値：多孔性シリカ膜の表面凹凸の最大値は、試料を断面研磨し、走査型電子顕微鏡（ＳＥＭ）を用いて二次電子像の写真を撮影し、その写真から断面の山頂部と谷底部の最大値を測定して決定した。ＳＥＭは、日本電子製ＪＳＭ６３２０Ｆ走査型電子顕微鏡を用い、加速電圧５ｋＶ、拡大倍率１００００倍および５００００倍で観察した。また、原子間力顕微鏡での測定は、前述の方法（５カ所；１００μｍ四方領域）でセイコー社製ＳＰＩ３００、ＤＦＭモードにより測定し、ＳＥＭによる表面凹凸の最大値の評価結果を検証した。
【０１１７】
屈折率：分光エリプソメトリー（ＳＯＰＲＡ  社製ＧＥＳ−５）により、多孔性シリカ膜の屈折率を波長２５０〜８５０ｎｍの範囲で測定し、モデリングを用いて解析した。
【０１１８】
全炭素濃度：多孔性シリカ膜の全炭素濃度は、試料を全炭素濃度測定装置内に入れ、１４５０℃に加熱し、その際発生するガス中の炭素量を分析することにより測定した。全炭素濃度測定装置は、島津製作所製のＴＯＣ５０００を用いた。
【０１１９】
炭素成分の炭素源由来分析：１３Ｃ固体ＮＭＲ測定を行い、炭素源由来分析を行った。
【０１２０】
ＴＧ−ＭＳ分析：窒素気流下、温度を２５〜６００℃まで上昇させ、気化物質を質量分析装置で検出した。
【０１２１】
（実施例２）
実施例１と同じ原料液を用い、その原料液を、ナトリウムＤ線波長で２３℃における屈折率が１．５のガラス基板（厚さ０．７ｍｍ）上に塗布して一次膜を形成した。原料液の塗布は、室温・大気下で３０００回転／分の回転速度で２０秒間スピンコートし、１０分間静置して中間体膜を得た。
【０１２２】
得られた中間体膜を、触媒物質であるアンモニア蒸気を含む気体雰囲気下に５分間静置した後、１５０℃のオーブン中で乾燥して多孔性シリカ膜を得た。この乾燥時に、沸点８０℃以上の親水性有機化合物であるｎ−ブタノールが除去された。
【０１２３】
得られた多孔性シリカ膜は、その表面から約５０ｎｍの深さの領域に厚さ３０ｎｍの緻密層を有していた。こうして得られた多孔性シリカ膜の緻密層には１〜５ｎｍ幅の空隙が形成され、緻密層以外の本体層には１５〜２０ｎｍ幅の空隙が形成されていた。また。多孔性シリカ膜の表面は、非常に平坦であり、表面凹凸の最大値は１０ｎｍであった。なお、エリプソメトリーによる屈折率測定から、この多孔性シリカ膜（本体層）の屈折率は１．３であった。また、多孔性シリカ膜中の全炭素濃度は３％であり、１３Ｃ固体ＮＭＲ測定結果からは、メタノールが存在し原料のメトキシシランオリゴマーに由来するメトキシ基は実質的に観測されないことがわかった。また、ＴＧ−ＭＳ分析を行ったところ、膜中に含有されているメタノールは７６０ｍｍＨｇでの沸点よりも高い温度で膜から放出される、という結果が得られた。
【０１２４】
（実施例３）
上述した実施例１の積層基板を用い、以下の手順でエレクトロルミネッセンス素子を製造した。▲１▼；実施例１で得られた積層基板の多孔性シリカ膜の表面に、透明電極であるＩＴＯ層（厚さ０．１５μｍ）をスパッタリングにより形成した。ＩＴＯ層の表面は、界面活性剤水溶液および超純水で洗浄し、乾燥して水分を除去した。▲２▼；次に、この透明電極をパターンニングした。パターニングは、透明電極上にフォトレジスト材料をスピンコートで全面に塗布し、超高圧水銀ランプ（露光強度２３０ｍＪ／ｃｍ２）を使用して所定の形状に露光した後、テトラメチルアンモニウムヒドロキシド希水溶液（濃度：２．４重量％）で未露光部分のフォトレジスト材料を溶解除去（現像）した。現像で露出した部分のＩＴＯを４５℃の６規定濃度塩酸で溶解除去（エッチング）した。エッチング後に、露光を受けて難溶化して残存しているフォトレジスト材料を剥離した。この剥離は、濃テトラメチルアンモニウムヒドロキシド水溶液（濃度：２０重量％）へ浸漬することにより行った。その後、超純水で水洗した。▲３▼；次に、層間絶縁膜を設けた。層間絶縁膜は、パターニングされたＩＴＯのうち余分な部分を絶縁材料（フォトレジスト材料）で被覆し、その後に形成するエレクトロルミネッセンス層および陰極との短絡を防ぐために設けた。先ず、フォトレジスト材料をスピンコートで全面に塗布し、次いで、超高圧水銀ランプを使用して所定の形状に露光（露光強度１００ｍＪ／ｃｍ２）した後、前記テトラメチルアンモニウムヒドロキシド希水溶液で未露光部のフォトレジスト材料を溶解除去（現像）した。そして、超純水による水洗を行った。▲４▼；次に、その上にエレクトロルミネッセンス層を形成した。エレクトロルミネッセンス層は、アルミニウムの８−ヒドロキシキノリン錯体（略称Ａｌｑ３）を約２００ｎｍの厚さで蒸着した。▲５▼；こうして形成したエレクトロルミネッセンス層上に、陰極であるフッ化リチウム（厚さ０．５ｎｍ）／アルミニウム層（厚さ８０ｎｍ）を蒸着により形成した。ここでフッ化リチウムは電子注入を促進する目的で用いた。
【０１２５】
（多孔性シリカ膜の耐薬品性の評価）
実施例１および実施例２で得られた多孔性シリカ膜の表面を、２３℃の２０重量％テトラメチルアンモニウムヒドロキシド水溶液に６０秒間浸漬し、次いで水洗した。この処理の前後での膜の断面をＳＥＭ観察し、多孔性シリカ膜の膜厚変化率を求めたところ、実施例１および実施例２のいずれも５％未満であった。なお、ここでいう膜厚変化率とは、処理前の膜厚ｔ１に対する処理後の膜厚ｔ２の差（｜ｔ１−ｔ２｜＝Δｔ）の割合、すなわちΔｔ／ｔ１×１００（％）、で表される。
【０１２６】
（比較例１）
実施例１の積層基板の代わりに市販のガラス基板を用いた他は、実施例３と同様にして比較例１のエレクトロルミネッセンス素子を作成した。なお、ガラス基板の表面凹凸の最大値は１０ｎｍ程度であった。
【０１２７】
（エレクトロルミネッセンス素子の性能評価）
実施例３および比較例１のエレクトロルミネッセンス素子に３〜１５Ｖの電界を印加すると、実施例３のエレクトロルミネッセンス素子の外部への発光の出射強度は比較例１の約１．２倍となった。また、実施例３のエレクトロルミネッセンス素子には短絡による障害が見られなかった。これらの結果より、実施例３のエレクトロルミネッセンス素子は、構成する多孔性シリカ膜の優れた平坦性により、突起や陥没の非常に少ない透明電極を形成できており、アルカリ水溶液の残留による屈折率の増大が起こっていないと考えられる。
【０１２８】
【発明の効果】
以上説明したように、本発明の多孔性シリカ膜によれば、０〜１０ｎｍ径の空孔を有する緻密層が膜の表層領域に５〜１００ｎｍの厚さで存在するので、その緻密層が例えばアルカリ水等の浸透を抑制するように作用する。その結果、例えばこの多孔性シリカ膜を基板上に積層する工程中にアルカリ水等が使用される場合においても、長期信頼性に影響するおそれのあるアルカリ水等の不純物の含有を効果的に制限することができる。
【０１２９】
本発明の積層基板およびエレクトロルミネッセンス素子によれば、多孔性シリカ膜には、アルカリ水等の浸透を抑制するように作用する緻密層が形成されているので、例えば積層基板またはその積層基板を有する素子の製造工程中にアルカリ水等が使用される場合においても、長期信頼性に影響するおそれのあるアルカリ水等の不純物が含有するのを効果的に制限することができる。こうした本発明の積層基板は、特に、多孔性シリカ膜上にＩＴＯ等の透明電極をパターニングするエレクトロルミネッセンス素子等の場合に好ましく用いられ、エレクトロルミネッセンス素子の長期信頼性を維持する上で極めて有効である。また、本発明を構成する多孔性シリカ膜は、その表面凹凸が極めて平滑なので、例えばこの積層基板をエレクトロルミネッセンス素子用の透明基板として使用した場合、その低屈折率層上に透明電極を形成してもその透明電極に突起や陥没が生じるのを防ぐことができ、その結果、本発明の積層基板は、信頼性に優れたエレクトロルミネッセンス素子の形成に寄与することができる。
【０１３０】
また、本発明の積層基板およびエレクトロルミネッセンス素子によれば、残存有機成分が少ないので、特にエレクトロルミネッセンス素子に使用した場合に、経時変化が少なく安定性に優れたものとなると共に、光取り出し効率のよいエレクトロルミネッセンス素子を提供することができる。
【０１３１】
また、本発明の多孔性シリカ膜および積層基板の製造方法によれば、原材料の塗布、薬品による表面処理、乾燥など、生産性に優れる簡便な工程のみで、上記作用を発揮する多孔性シリカ膜を有する積層基板を製造することができる。
【図面の簡単な説明】
【図１】エレクトロルミネッセンス素子構造の一例を示す断面図である。
【図２】低屈折率層を有さないエレクトロルミネッセンス素子の一例を示す断面図である。
【図３】低屈折率層を有するエレクトロルミネッセンス素子の一例を示す断面図である。
【図４】本発明の積層基板の一例を示す断面図である。
【符号の説明】
１  エレクトロルミネッセンス素子
２  基板
３  透明電極
４  エレクトロルミネッセンス層
５  陰極
６  低屈折率層（多孔性シリカ膜）
７  空気
８  緻密層
９  本体層
１０  積層基板
１１  出射角の大きい光
１２  導波光
【図１】
2004182491.tif 000002
【図２】
2004182491.tif 000003
【図３】
2004182491.tif 000004
【図４】
2004182491.tif 000005